(57)【要約】【課題】二次電池への充電を適正に実行させることができる充電式電気機器を得ることにある。【解決手段】二次電池１７が内蔵された電気掃除機１１を充電装置２が内蔵された充電器１にセットして、充電器１の二次側の出力端子３に電気掃除機１１の充電端子１６を接続して二次電池１７を充電するものであって、二次電池１７の温度を検出する検出回路３３の検出信号を基に充電完了時に充電スイッチ２５をオフさせる制御手段１９を備える。この制御手段１９に、充電開始検出回路２９の検出信号より求められた充電開始時点から所定時間の間、検出回路３３から入力される検出信号を受付けないようにする無効化部３７を設ける。この無効化部３７により、ノイズが重畳した検出信号で制御手段１９が充電スイッチ２５をオフさせないようにしている。【選択図】　　図３
2004064861.tif 000002
【特許請求の範囲】
【請求項１】
負荷が設けられた電気機器本体と、
この本体に設けられて前記負荷を駆動する電力を放出する二次電池と、
この二次電池の温度を検出する電池温度検出手段と、
前記電気機器本体に設けられて前記二次電池に与える直流出力を交流電源から得る充電器に着脱される充電端子と、
前記充電器への前記充電端子の接続による充電の開始を検出する充電開始検出手段と、
前記電池温度検出手段の検出信号から前記二次電池が所定の充電状態であることを判定して充電を停止させる充電完了制御部、及び前記充電開始検出手段の検出信号より求められた充電開始時点から所定時間の間、前記電池温度検出手段から入力される検出信号を受付けないようにする無効化部を有する制御手段と、
を具備した充電式電気機器。
【請求項２】
負荷が設けられた電気機器本体と、
この本体に設けられて前記負荷を駆動する電力を放出する二次電池と、
この二次電池の温度を検出する電池温度検出手段と、
前記電気機器本体に設けられて前記二次電池に与える直流出力を交流電源から得る充電器に着脱される充電端子と、
前記充電器への前記充電端子の接続による充電の開始を検出する充電開始検出手段と、
前記電池温度検出手段の検出信号から前記二次電池が所定の充電状態であることを判定して充電を停止させる充電完了制御部、及び前記充電開始検出手段の検出信号より求められた充電開始時点から所定時間後に、前記電池温度検出手段の検出信号を前記充電完了制御部に入力させる遅延部を有する制御手段と、
を具備した充電式電気機器。
【請求項３】
負荷が設けられた電気機器本体と、
この本体に設けられて前記負荷を駆動する電力を放出する二次電池と、
この二次電池の電圧を検出する電池電圧検出手段と、
前記電気機器本体に設けられて前記二次電池に与える直流出力を交流電源から得る充電器に着脱される充電端子と、
前記充電器への前記充電端子の接続による充電の開始を検出する充電開始検出手段と、
前記電池電圧検出手段の検出信号から前記二次電池が所定の充電状態であることを判定して充電を停止させる充電完了制御部、及び前記充電開始検出手段の検出信号より求められた充電開始時点から所定時間の間、前記電池電圧検出手段から入力される検出信号を受付けないようにする無効化部を有する制御手段と、
を具備した充電式電気機器。
【請求項４】
負荷が設けられた電気機器本体と、
この本体に設けられて前記負荷を駆動する電力を放出する二次電池と、
この二次電池の電圧を検出する電池電圧検出手段と、
前記電気機器本体に設けられて前記二次電池に与える直流出力を交流電源から得る充電器に着脱される充電端子と、
前記充電器への前記充電端子の接続による充電の開始を検出する充電開始検出手段と、
前記電池電圧検出手段の検出信号から前記二次電池が所定の充電状態であることを判定して充電を停止させる充電完了制御部、及び前記充電開始検出手段の検出信号より求められた充電開始時点から所定時間後に、前記電池電圧検出手段の検出信号を前記充電完了制御部に入力させる遅延部を有する制御手段と、
を具備した充電式電気機器。
【請求項５】
負荷が設けられた電気機器本体と、
この本体に設けられて前記負荷を駆動する電力を放出する二次電池と、
この二次電池の温度を検出する電池温度検出手段と、
前記電気機器本体に設けられて前記二次電池に与える直流出力を交流電源から得る充電器に着脱される充電端子と、
前記充電器への前記充電端子の接続を検出する接続検出手段と、
前記電池温度検出手段の検出信号から前記二次電池が所定の充電状態であることを判定して充電を停止させる充電完了制御部、及び前記充電器への前記接続端子の接続を前記接続検出手段が検出してから所定時間後に充電を開始させる充電開始制御部を有する制御手段と、
を具備した充電式電気機器。
【請求項６】
負荷が設けられた電気機器本体と、
この本体に設けられて前記負荷を駆動する電力を放出する二次電池と、
この二次電池の電圧を検出する電池電圧検出手段と、
前記電気機器本体に設けられて前記二次電池に与える直流出力を交流電源から得る充電器に着脱される充電端子と、
前記充電器への前記充電端子の接続を検出する接続検出手段と、
前記電池電圧検出手段の検出信号から前記二次電池が所定の充電状態であることを判定して充電を停止させる充電完了制御部、及び前記充電器への前記接続端子の接続を前記接続検出手段が検出してから所定時間後に充電を開始させる充電開始制御部を有する制御手段と、
を具備した充電式電気機器。
【請求項７】
請求項１から６の内のいずれか１項に記載の充電式電気機器において、この電気機器が、前記負荷としての電動送風機、前記各手段、前記二次電池、及び前記充電回路を夫々掃除機本体に内蔵し、かつ、この掃除機本体に前記充電器に着脱可能な前記充電端子を設けた電気掃除機である。
【発明の詳細な説明】
【０００１】
【発明の属する技術分野】
本発明は、例えば二次電池の放出電力で負荷を駆動する充電式電気機器、及び二次電池の放出電力で電動送風機を駆動して真空吸引式の掃除をする電気掃除機等に関する。
【０００２】
【従来の技術】
充電式の電気掃除機では、電池温度又は電池電圧を検出し、満充電になった時（電池温度検出の場合には、所定の判定時間内で電池温度差が所定値以上になった時、又、電池電圧検出の場合には、所定の判定時間内で電池電圧差が所定の降下電圧値以上となった時）には、制御手段により充電を自動的に停止させて、過充電による電池寿命の低下を抑制している。
【０００３】
例えば電気掃除機用の二次電池にはニッケル水素電池が使用されている。この電池の満充電状態での電池電圧は数十ボルトであり、これに伴って、充電に必要とする充電電圧は電池電圧以上に高い。これらの電圧は、充電式電気かみそり等の小型電気機器に比較して１桁以上も高い。
【０００４】
電気掃除機の二次電池に充電をするには、それ専用の充電器が用意される。この充電器は、例えば台状をなし、充電装置を内蔵している。電気掃除機に設けられている充電端子は、充電器に電気掃除機を載置したときに充電装置の出力端子に接続される。この接続により、充電装置において１次側の交流電源から変換して得た二次側の直流出力が、出力端子及び充電端子を通して電気掃除機の二次電池に与えられて、充電が行われる。
【０００５】
【発明が解決しようとする課題】
前記のように充電電圧が高い充電器の二次側の出力端子に、電気掃除機の充電端子を接続して充電を開始する際、出力端子と充電端子との接続部の動揺などにより大きなノイズが発生する場合がある。
【０００６】
このように二次側で発生する大きなノイズは、二次電池の温度又は電池電圧の検出信号に重畳して、満充電に伴い充電を完了させる機能を有する制御手段に供給される。このため、制御手段は、入力された検出信号に重畳した大きなノイズ成分によって、電池温度検出の場合には所定の判定時間内で所定値以上の電池温度差があったと誤認し、又、電池電圧検出の場合には所定の判定時間内で所定の降下電圧値以上の電池電圧差があったと誤認して、充電開始直後に充電を停止させるという誤った制御をする場合がある。
【０００７】
本発明が解決しようとする課題は、二次電池への充電を適正に実行させることができる充電式電気機器及び電気掃除機を得ることにある。
【０００８】
【課題を解決するための手段】
前記課題を解決するために、本発明は、充電される二次電池の温度又は電圧を検出する検出手段の検出信号を基に所定の充電状態となった時に充電を停止させる制御手段に、前記検出手段の検出信号より求められた充電開始時点から所定時間の間、前記検出手段から入力される検出信号を受付けないようにする無効化部、又は、前記検出手段の検出信号より求められた充電開始時点から所定時間後に、前記検出手段の検出信号を入力させる遅延部、或いは、充電器への充電端子の接続の検出から所定時間後に充電を開始させる充電開始制御部、を設けている。
【０００９】
本発明では、制御手段の無効化部により、制御手段に入力される二次電池の温度又は電圧についての検出信号を充電開始時点から所定時間の間は受付けないようにし、又は制御手段の遅延部により、二次電池の温度又は電圧についての検出信号を充電開始時点から所定時間後に制御手段の充電完了制御部に入力させるようにし、或いは充電開始制御部により、充電器への充電端子の接続が検出された時点から所定時間後に充電を開始させるようにしたので、充電開始直後に制御手段が充電を停止させないようにできる。
【００１０】
【発明の実施の形態】
以下、図１〜図３を参照して本発明の第１実施形態を説明する。
【００１１】
図１中符号１は充電器を示している。この充電器１には、図３に示すように充電装置２が内蔵されているとともに、この装置２が有する一対の出力端子３が設けられている。出力端子３は充電器１の上方に露出して配置されている。充電装置２は、これが適宜接続される交流電源４から二次側の直流出力を得るものであって、直流出力は出力端子３に供給される。充電装置２は、その一対の出力端子３間の電圧、つまり、充電電圧が例えば４０ボルト〜５０ボルトとなるように構成されている。
【００１２】
図１中符号１１は充電式電気機器としての電気掃除機を例示している。この掃除機１１は、電気機器本体としての掃除機本体１２、この掃除機本体１２の吸塵口１２ａに着脱可能に接続された可撓性吸塵ホース１３、このホース１３の先端に着脱可能に接続される延長管１４、この延長管１４の先端に着脱可能に接続される吸込み口体１５等を備えている。
【００１３】
この電気掃除機１１の掃除機本体１２は、非使用時及び充電時に、充電器１を台としてこの上に立てた姿勢で着脱可能に載置されるようになっている。掃除機本体１２には、これを充電器１に載置した際に出力端子３に接続される一対の充電端子１６（図３参照）が設けられている。
【００１４】
掃除機本体１２には、二次電池１７、この電池１７から放出される電力で駆動される負荷としての電動送風機１８、及び制御手段１９等が夫々内蔵されている。二次電池１７には、例えばニッケル水素電池等を好適に使用でき、その満充電状態での電池電圧は例えば２５ボルト〜３５ボルトである。
【００１５】
電気掃除機１１は、電動送風機１８の送風作用により真空吸引式の掃除動作を営むことができる。制御手段１９には吸塵ホース１３に設けられた操作部２０が電気的に接続されている。この操作部２０で指定される運転指示信号に応じて制御手段１９は、電動送風機１８の駆動回路に直列に挿入された電流制御素子例えばＦＥＴ２１でのデューテー比制御を行って、電動送風機１８に供給される電流の大きさを、前記運転指示信号に応じて変えることができ、それにより、吸塵力の変更や起動・停止をするようになっている。
【００１６】
二次電池１７にはこれに充電をするための充電回路２４が接続されている。この回路２４を介して二次電池１７と前記一対の充電端子１６とは電気的に接続されている。充電回路２４はこれに直列に挿入された例えばスイッチングトランジスタからなる充電スイッチ２５を有している。この充電スイッチ２５は通常オフ状態を維持する。
【００１７】
充電回路２４には、充電開始検出手段、例えば抵抗２７、２８を直列に接続してなる充電開始検出回路２９が接続されている。抵抗２７、２８間の電圧が検出信号として制御手段１９に入力されるように、抵抗２７、２８間の接続点は制御手段１９に接続されている。
【００１８】
二次電池１７の温度は充電に伴って上昇する。この温度上昇の一般的傾向は図２中実線で示され、充電開始とともに温度が上昇し、ある温度に達した状態を維持したまま充電が進行し、やがて所定の充電状態例えば満充電になると急激に温度が上昇する。この満充電後の温度上昇は充電開始直後の温度上昇よりも遥かに急激である。二次電池１７には、その充電時の温度を検出する電池温度検出手段、例えば正特性のサーミスタ３１と抵抗３２とからなる電池温度検出回路３３が接続されている。この検出回路３３のサーミスタ３１と抵抗３２との間の電圧が検出信号として制御手段１９に入力されるように、抵抗２７、２８間の接続点は抵抗３４を介して制御手段１９に接続されている。
【００１９】
マイクロプロセッサからなる制御手段１９は、充電完了制御部３６及び無効化部３７を有している。充電完了制御部３６は、電池温度検出回路３３の検出信号から二次電池１７の満充電等の所定の充電状態を判定する機能と、この判定に基づき充電スイッチ２５をオフして充電を停止させる機能とを有している。なお、二次電池１７の満充電とは、定格電圧（例えば３０ボルト）に達するまで充電された状態を指す。無効化部３７は、充電開始検出回路２９の検出信号から充電開始時点を判定する機能を有している。更に無効化部３７は、充電開始検出回路２９の検出信号より求められた充電開始時点から所定時間ｔ１（これは後述する満充電判定のための判定時間ｔ２より遥かに短く、例えば２〜５秒）の間、電池温度検出回路３３から制御手段１９に入力される検出信号を受付けないように無効にする機能、言い換えれば、制御手段１９に電池温度検出回路３３の検出信号が前記所定時間ｔ１の間は取込まれないようにする機能を有している。
【００２０】
交流電源４に接続された充電器１上に前記構成を備えた電気掃除機１１の掃除機本体１２を載置すると、充電器１の出力端子３と電気掃除機１１の充電端子１６とが接続されて、掃除機本体１２内の二次電池１７への充電が開始される。これと同時に、充電開始検出回路２９の抵抗２７、２８間の電圧が検出信号として制御手段１９に供給されるので、この手段１９の無効化部３７により、充電が開始された時点が検出される。
【００２１】
更に、無効化部３７は、充電開始時点の検出により、それから所定時間ｔ１（図２参照）の間は、電池温度検出回路３３の検出信号（電池温度の検出情報）を受付けないようにする。それにより、充電開始直後に、充電装置２からみて二次側の出力端子３と充電端子１６との接続部の動揺などに伴う大きなノイズが発生し、それが図２中符号Ｎで示すように電池温度の検出信号に重畳することがあっても、このノイズを含んだ入力信号を、制御手段１９にとっては無効とできる。
【００２２】
このため、充電完了制御部３６が、前記温度検出信号に重畳した大きなノイズ成分によって、所定の判定時間ｔ２（例えば数十秒）の間で所定値以上の電池温度差ΔＴ（例えば０．３℃から０．７℃）があったと誤認することがなくなる。したがって、前記ノイズの重畳を原因として充電開始直後に充電完了制御部３６が充電スイッチ２５をオフさせるように機能することがないので、二次電池１７に対する充電を適正に実行させることができる。
【００２３】
そして、充電の進行により二次電池１７が満充電になると、この時点以降二次電池１７の温度は急激に上昇する。この温度上昇により、前記判定時間ｔ２の間で所定値以上の電池温度差ΔＴが生じるので、その時点で充電完了制御部３６は、二次電池１７の充電が完了した（満充電に達した）と判定し、かつ、それに基づいて充電スイッチ２５をオフさせて、二次電池１７の過充電を防止する。
【００２４】
以下、本発明の第２、第３の実施形態を説明する。これらの実施形態は基本的には第１実施形態と同じであるので、同じ構成については第１実施形態と同じ符号を付して、その構成および作用の説明を省略し、以下異なる部分について説明する。
【００２５】
図４に示す本発明の第２実施形態では、制御手段１９が遅延部４１を有している。この遅延部４１は、第１実施形態での無効化部に代えて設けられるものであって、充電開始検出回路２９の検出信号より求められた充電開始時点から所定時間ｔ１（例えば２〜５秒）後に、電池温度検出回路３３の検出信号を充電完了制御部３６に入力させる機能を有している。この点以外の構成は第１実施形態と同じである。
【００２６】
この第２実施形態では、充電が開始された時点から所定時間ｔ１（図２参照）の間は、電池温度検出回路３３の検出信号（電池温度の検出情報）が遅延部４１により遅延されるため、充電装置２からみて二次側の出力端子３と充電端子１６との接続部の動揺などに伴う大きなノイズが発生し、それが電池温度の検出信号に重畳することがあっても、このノイズを含んだ入力信号は充電完了制御部３６には入力されない。
【００２７】
したがって、電池温度の検出信号に重畳した大きなノイズ成分を原因として、充電完了制御部３６が、充電開始直後に充電スイッチ２５をオフさせるように機能することがなくなる。このため、二次電池１７に対する充電を適正に実行させることができるとともに、この適正充電により満充電等の所定の充電状態となったときには充電完了制御部３６により充電スイッチ２５をオフさせて、過充電を防止できる。
【００２８】
図５及び図６に示した本発明の第３実施形態では、電池電圧検出手段、例えば抵抗４５、４６を直列に接続してなる電池電圧検出回路４７を、二次電池１７に並列に接続している。この検出回路４７は、第１実施形態の電池温度検出回路に代えて設けられたものであって、その抵抗４５と４６との間の電圧が検出信号として制御手段１９に入力されるように、抵抗４５、４６間の接続点が抵抗３４を介して制御手段１９に接続されている。
【００２９】
この電池電圧検出回路４７を設けたことに伴い制御手段１９の充電完了制御部３６には、電池電圧検出回路４７の検出信号から二次電池１７の満充電等の所定の充電状態を判定する機能と、この判定に基づき充電スイッチ２５をオフさせる機能とを有したものが使用されている。又、制御手段１９の無効化部３７は、充電開始検出回路２９の検出信号から充電開始時点を判定する機能の他に、判定された充電開始時点から所定時間ｔ１（満充電判定のための判定時間ｔ２より遥かに短く、例えば２〜５秒）の間、電池電圧検出回路４７から制御手段１９に入力される検出信号を受付けないように無効にする機能、言い換えれば、制御手段１９に電池電圧検出回路４７の検出信号が前記所定時間ｔ１の間は取込まれないようにする機能を有している。
【００３０】
この第３実施形態では、充電が開始された時点から所定時間ｔ１（図６参照）の間は、電池電圧検出回路４７の検出信号（電池電圧の検出情報）が無効化部３７により無効となるため、充電装置２からみて二次側の出力端子３と充電端子１６との接続の動揺などに伴う大きなノイズが発生し、それが電池電圧の検出信号に重畳することがあっても、このノイズを含んだ入力信号は充電完了制御部３６には入力されない。
【００３１】
したがって、電池電圧の検出信号に重畳した大きなノイズ成分を原因として、充電完了制御部３６が、充電開始直後に充電スイッチ２５をオフさせるように機能することがなくなる。このため、二次電池１７に対する充電を適正に実行させることができる。
【００３２】
なお、この適正充電により二次電池１７が満充電等の所定の充電状態となった時には、二次電池１７の電圧は図６に示すように降下する。この電圧降下により、判定時間ｔ２の間で所定値以上の電圧差ΔＶが生じるので、充電完了制御部３６は、二次電池１７の充電が完了した（満充電に達した）と判定し、かつ、それに基づいて充電スイッチ２５をオフさせて、二次電池１７の過充電を防止する。
【００３３】
図７に示す本発明の第４実施形態は、第３実施形態と基本的には同じであるので、同じ構成については第３実施形態と同じ符号を付して、その構成および作用の説明を省略し、以下異なる部分について説明する。
【００３４】
この第４実施形態では、制御手段１９が遅延部４１を有している。この遅延部４１は、第３実施形態での無効化部に代えて設けられるものであって、充電開始検出回路２９の検出信号より求められた充電開始時点から所定時間ｔ１（例えば２〜５秒）後に、電池電圧検出回路４７の検出信号を充電完了制御部３６に入力させる機能を有している。この点以外の構成は第３実施形態と同じである。
【００３５】
この第４実施形態では、充電が開始された時点から所定時間ｔ１（図６参照）の間は、電池電圧検出回路４７の検出信号（電池温度の検出情報）が遅延部４１により遅延されるため、充電装置２からみて二次側の出力端子３と充電端子１６との接続部の動揺などに伴う大きなノイズが発生し、それが電池電圧の検出信号に重畳することがあっても、このノイズを含んだ入力信号は充電完了制御部３６には入力されない。
【００３６】
したがって、電池電圧の検出信号に重畳した大きなノイズ成分を原因として、充電完了制御部３６が、充電開始直後に充電スイッチ２５をオフさせるように機能することがなくなる。このため、二次電池１７に対する充電を適正に実行させることができるとともに、この適正充電により満充電等の所定の充電状態となったときには充電完了制御部３６により充電スイッチ２５をオフさせて、過充電を防止できる。
【００３７】
図８に示す本発明の第５実施形態を説明する。この実施形態は基本的には第１実施形態と同じであるので、同じ構成については第１実施形態と同じ符号を付して、その構成および作用の説明を省略し、以下異なる部分について説明する。
【００３８】
この第５実施形態では、充電回路２４に接続された抵抗２７ａ、２８ａの直列回路は、接続検出手段２９ａとして設けられている。抵抗２７ａ、２８ａ間の接続点は、この点の電圧が検出信号として制御手段１９に入力されるように制御手段１９に接続されている。この接続検出手段２９ａによって、充電器１の出力端子３に電気掃除機１１の充電端子１６が接続されたかどうかを検出できる。
【００３９】
制御手段１９は、充電完了制御部３６とともに充電開始制御部３９を有している。充電開始制御部３９は、第１実施形態での無効化部に代えて設けられるものであって、接続検出手段２９ａが充電器１への充電端子１６の接続を検出した時点から所定時間（例えば２〜５秒）後に充電を開始させる機能を有している。具体的には、前記所定時間の間充電スイッチ２５をオフ状態に保持し、この時間経過後に充電スイッチ２５をオンさせる制御を行うように構成されている。
【００４０】
以上説明した点以外の構成は第１実施形態と同じである。この第５実施形態では、充電器１の出力端子３に電気掃除機１１の充電端子１６が接続されたことが接続検出手段２９ａで検出された時点から所定時間の間は、充電開始制御部３９が充電スイッチ２５をオフ状態に保持して、充電の開始が遅らされる。これにより、前記所定時間内では電池温度検出回路３３による電池温度の検出も行われない。言い換えれば、充電装置２からみて二次側の出力端子３と充電端子１６との接続部の動揺などに伴う大きなノイズが発生しても、このノイズが重畳可能な電池温度の検出信号が存在しない。
【００４１】
したがって、前記所定時間内ではノイズ成分が重畳した電池温度の検出信号が充電完了制御部３６に入力することがないので、この充電完了制御部３６が、充電開始直後に充電スイッチ２５をオフさせるように機能することがなくなる。そして、前記所定時間経過後には充電スイッチ２５がオンされるので、二次電池１７に対する充電を適正に実行させることができるとともに、この適正充電により満充電等の所定の充電状態となったときには充電完了制御部３６により充電スイッチ２５をオフさせて、過充電を防止できる。
【００４２】
図９に示す本発明の第６実施形態を説明する。この実施形態は基本的には第３実施形態と同じであるので、同じ構成については第３実施形態と同じ符号を付して、その構成および作用の説明を省略し、以下異なる部分について説明する。
【００４３】
この第６実施形態では、充電回路２４に接続された抵抗２７ａ、２８ａの直列回路は、接続検出手段２９ａとして設けられている。抵抗２７ａ、２８ａ間の接続点は、この点の電圧が検出信号として制御手段１９に入力されるように制御手段１９に接続されている。この接続検出手段２９ａによって、充電器１の出力端子３に電気掃除機１１の充電端子１６が接続されたかどうかを検出できる。
【００４４】
制御手段１９は、充電完了制御部３６とともに充電開始制御部３９を有している。充電開始制御部３９は、第３実施形態での無効化部に代えて設けられるものであって、接続検出手段２９ａが充電器１への充電端子１６の接続を検出した時点から所定時間（例えば２〜５秒）後に充電を開始させる機能を有している。具体的には、前記所定時間の間充電スイッチ２５をオフ状態に保持し、この時間経過後に充電スイッチ２５をオンさせる制御を行うように構成されている。
【００４５】
以上説明した点以外の構成は第３実施形態と同じである。この第６実施形態では、充電器１の出力端子３に電気掃除機１１の充電端子１６が接続されたことが接続検出手段２９ａで検出された時点から所定時間の間は、充電開始制御部３９が充電スイッチ２５をオフ状態に保持して、充電の開始が遅らされる。これにより、前記所定時間内では電池電圧検出回路４７による電池電圧の検出も行われない。言い換えれば、充電装置２からみて二次側の出力端子３と充電端子１６との接続部の動揺などに伴う大きなノイズが発生しても、このノイズが重畳可能な電池電圧の検出信号が存在しない。
【００４６】
したがって、前記所定時間内ではノイズ成分が重畳した電池電圧の検出信号が充電完了制御部３６に入力することがないので、この充電完了制御部３６が、充電開始直後に充電スイッチ２５をオフさせるように機能することがなくなる。そして、前記所定時間経過後には充電スイッチ２５がオンされるので、二次電池１７に対する充電を適正に実行させることができるとともに、この適正充電により満充電等の所定の充電状態となったときには充電完了制御部３６により充電スイッチ２５をオフさせて、過充電を防止できる。
【００４７】
本発明は前記各実施形態には制約されない。例えば、本発明は電気掃除機以外の充電式電気機器に適用できるとともに、二次電池の種類も問わない。又、制御手段は負荷の制御を担わないものでもよく、このような制御手段である場合には、これを電気機器本体に設けるのではなく、充電器に設けて実施することもできる。
【００４８】
【発明の効果】
請求項１から６の発明、又は請求項７の発明によれば、充電開始直後に制御手段が充電開始直後に充電を停止させるという誤った制御をすることがなくなるので、二次電池への充電を適正に実行させることができる充電式電気機器、又は電気掃除機を提供できる。
【図面の簡単な説明】
【図１】本発明の第１実施形態に係る電気掃除機を充電器に載置した状態で示す斜視図。
【図２】図１の電気掃除機の二次電池を充電する時の電池温度の変化を示すグラフ。
【図３】図１の電気掃除機の電気回路の構成を示す図。
【図４】本発明の第２実施形態に係る電気掃除機の電気回路の構成を示す図。
【図５】本発明の第３実施形態に係る電気掃除機の電気回路の構成を示す図。
【図６】図５の電気掃除機の二次電池を充電する時の電池電圧の変化を示すグラフ。
【図７】本発明の第４実施形態に係る電気掃除機の電気回路の構成を示す図。
【図８】本発明の第５実施形態に係る電気掃除機の電気回路の構成を示す図。
【図９】本発明の第６実施形態に係る電気掃除機の電気回路の構成を示す図。
【符号の説明】
１…充電器
２…充電装置
３…出力端子
４…交流電源
１１…電気掃除機（充電式電気機器）
１２…掃除機本体（電気機器本体）
１６…充電端子
１７…二次電池
１８…電動送風機（負荷）
１９…制御手段
２４…充電回路
２５…充電スイッチ
２９…充電開始検出回路（充電開始検出手段）
２９ａ…接続検出手段
３３…電池電圧検出回路（電池電圧検出手段）
３６…充電完了制御部
３７…電池温度検出信号の無効化部
３９…充電開始制御部
４１…遅延部
４７…電池電圧検出回路（電池電圧検出手段）
【図１】
2004064861.tif 000003
【図２】
2004064861.tif 000004
【図３】
2004064861.tif 000005
【図４】
2004064861.tif 000006
【図５】
2004064861.tif 000007
【図６】
2004064861.tif 000008
【図７】
2004064861.tif 000009
【図８】
2004064861.tif 000010
【図９】
2004064861.tif 000011